(57)【要約】【課題】商品を収容して包装体として陳列する際に、その包装体の向きを変えて正面となる面を選択するだけで、簡単に、その商品の陳列環境に適した印象の陳列を形成することのできる、優れた包装用箱と、その包装用箱に商品を収容してなる包装体の陳列方法を提供する。【解決手段】直方体状の包装用箱１であって、その正面部２と背面部３に、それぞれ商品名９，１２が表示されており、この２つの面２，３のどちらかを正面として選択して陳列できるようになっている。【選択図】図１
2004189261.tif 000002
【特許請求の範囲】
【請求項１】
底面部と、２面以上の側面部とを有する包装用箱であって、上記側面部の少なくとも２面が、それぞれ商品名表示部を備えているとともに、その各面が互いに相異なる印象を与えるよう構成されており、これら少なくとも２面のいずれかの面を、正面として選択して陳列できるようになっていることを特徴とする包装用箱。
【請求項２】
上記正面として陳列できるようになっている少なくとも２面が、互いに異なる地色で構成されている請求項１記載の包装用箱。
【請求項３】
上記正面として陳列できるようになっている少なくとも２面のうち、１面の地色が透明になっている請求項２記載の包装用箱。
【請求項４】
請求項１〜３のいずれか一項に記載された包装用箱に商品を収容してなる包装体の陳列方法であって、上記包装体の陳列環境に応じて、その包装用箱の、正面として陳列できるようになっている少なくとも２面のいずれかの面を、正面として選択して陳列することを特徴とする包装体の陳列方法。
【発明の詳細な説明】
【０００１】
【発明の属する技術分野】
本発明は、商品を収容するための包装用箱およびそれを用いた包装体の陳列方法に関するものである。
【０００２】
【従来の技術】
従来より、化粧品専門店やデパートの化粧品コーナーでは、化粧品を対面方式で販売するため、取り扱う化粧品を、厚紙シートを組み立ててなる略直方体状の包装用箱に収容して、高級感をもたせたものが多い。
【０００３】
また、最近は、化粧品を、コンビニエンスストアや薬局、スーパーマーケット等においてセルフ方式で販売することも多くなっているが、その場合は、顧客自身が商品の中身を確認しやすいように、透明プラスチックシート製の透明な包装用箱を用いることが多い。
【０００４】
【発明が解決しようとする課題】
そこで、対面方式で販売される比較的高級指向の化粧品には厚紙製包装用箱を、セルフ方式で販売される比較的実用指向の化粧品には透明プラスチックシート製包装用箱を、と使い分けているが、昨今は、商品ごとに販売形式を明確に区別することは困難で、高級指向のものであってもコンビニエンスストアで販売したり、実用指向のものであっても対面式で販売することが多くなってきている。このため、同じ商品であっても、販売形態によって、２通りの包装用箱を用いることが望まれるが、同一商品に複数種類の包装用箱を用意して使い分けることは、煩雑な手間となり、実用的でない。
【０００５】
本発明は、このような事情に鑑みなされたもので、商品を収容して包装体として陳列する際に、その包装体の向きを変えて正面となる面を選択するだけで、簡単に、その商品の陳列環境に適した印象の陳列を形成することのできる、優れた包装用箱と、その包装用箱に商品を収容してなる包装体の陳列方法の提供をその目的とする。
【０００６】
【課題を解決するための手段】
上記の目的を達成するため、本発明は、底面部と、２面以上の側面部とを有する包装用箱であって、上記側面部の少なくとも２面が、それぞれ商品名表示部を備えているとともに、その各面が互いに相異なる印象を与えるよう構成されており、これら少なくとも２面のいずれかの面を、正面として選択して陳列できるようになっている包装用箱を第１の要旨とする。
【０００７】
また、本発明は、上記包装用箱のなかでも、特に、正面として陳列できるようになっている少なくとも２面が、互いに異なる地色で構成されている包装用箱を第２の要旨とし、そのなかでも、特に、上記正面として陳列できるようになっている少なくとも２面のうち、１面の地色が透明になっている包装用箱を第３の要旨とする。
【０００８】
さらに、本発明は、上記第１〜第３のいずれかの要旨である包装用箱に商品を収容してなる包装体の陳列方法であって、上記包装体の陳列環境に応じて、その包装用箱の、正面として陳列できるようになっている少なくとも２面のいずれかの面を、正面として選択して陳列する包装体の陳列方法を第４の要旨とする。
【０００９】
【発明の実施の形態】
つぎに、本発明の実施の形態について説明する。
【００１０】
まず、本発明の一実施の形態である包装用箱を正面側から見た状態を図１（ａ）に示す。また、これを背面側から見た状態を同図（ｂ）に示す。そして、この包装用箱１の展開図を図２に示す。
【００１１】
この包装用箱１は、瓶入りの美白化粧水を収容するためのもので、透明プラスチックシートを組み立ててなる一般的な直方体状包装用箱と同様、正面部２、背面部３、左側面部４、右側面部５、平面部６、底面部７の６面を備えている。上記背面部３と右側面部５の地色は、不透明な赤色に着色されており（斜線で示す）、その他の面２、４、６、７の地色は、透明である。なお、図２において、１４は箱状に組み立てるための糊代で、反対側の左側面部４の端縁部に貼り合わされるようになっている。また、６ａ、７ａは、平面部６、底面部７をそれぞれ開閉するための係止片、６ｂ、６ｃ、７ｂ、７ｃは、ガイド片である。
【００１２】
上記正面部２の右上には、四角枠で囲われた「薬用」の文字８が縦書きで表示され、その下に、「美白水」というこの商品の商品名９が縦書きで大きく表示されている。さらにその下には、「無香料  赤い実の和漢植物エキス  火棘配合」というキャッチフレーズ１０が横書きで表示されている。
【００１３】
一方、上記背面部３の上部中央には、四角枠で囲われた「薬用」の文字１１が縦書きで、正面部２のそれよりやや小さめに表示され、その下に、「美白水」という商品名１２が、同じく正面部２のそれよりやや小さめに表示れている。さらにその下には、「ＭＡＫＥＳ  ＳＫＩＮ  ＲＥＬＡＸ  ＆  ＦＲＥＳＨ  ＨＥＡＬＴＨ  ＣＯＮＤＩＴＩＯＮ  ＷＨＩＴＥＮＩＮＧ  ＣＬＥＡＲ  ＣＯＮＤＩＴＩＯＮＥＲ」という英文のキャッチフレーズ１３が横書きで表示されている。なお、これらの文字は、白抜きになっている。
【００１４】
上記構成によれば、従来は、無地のままか、下部に小さく成分組成等の説明書きがなされているにすぎなかった包装用箱１の背面部３に、正面部２と同様、商品名１２と、商品についてのキャッチフレーズ１３が、明確に表示されているため、この背面部３を正面に向けて陳列することができる。この面を正面にすると、図３に示すように、地色である赤色が印象的な、高級感のある陳列面となる。したがって、対面方式で化粧品を販売する化粧品販売店やデパートの化粧品販売コーナー等においては、上記背面部３を正面に向けて陳列することが好適である。
【００１５】
逆に、上記包装用箱１の正面部２を正面にすると、図４に示すように、商品名９とキャッチフレーズ１０が表示されているとともに、地の部分が透明であるため、中身である美白化粧水の瓶がそのまま透けて見え、実用的な印象を与える。したがって、セルフ方式で化粧品を販売するコンビニエンスストアや薬局、スーパーマーケット等においては、上記正面部２を正面に向けて陳列することが好適である。
【００１６】
また、図５に示すように、上記包装用箱１の正面部２と背面部３を１箱ずつ交互に正面に向けて陳列したり、図６に示すように、複数個続けて背面部３ばかり並べ、つぎの複数個は正面部２ばかり並べるというように、同じ棚内で、変化に富んだ陳列を、簡単につくることができる。
【００１７】
なお、上記の例では、正面部２の地の部分を透明とし、背面部３の地の部分を赤色として、互いに印象の異なる正面となりうるよう構成したが、これに限らず、正面となりうる一方の面の地色を赤色にし、他方の面の地色を水色にする等、地色を変えるだけにしてもよい。また、地色を変えるのではなく、例えば、正面となりうる一方の面を明るい色柄にし、他方の面を落ち着いたモノトーンの模様にする等、全く印象の異なるデザインにしてもよい。
【００１８】
そして、上記包装用箱１の正面として用いる面の他の構成は、特に限定するものではないが、一目で中身である商品を特定することができるように、少なくともその商品名を、文字、記号、図柄等で明確に表示する表示部が設けられていることが必要である。
【００１９】
また、上記包装用箱１の正面として選択しうる面は、上記の例のように、包装用箱１が直方体状の場合、正面部２と背面部３の２つに限らず、４面全部、あるいは３面を、それぞれ正面として選択するようにしてもよい。このように、本発明では、包装用箱が有する２以上の側面部のうち、少なくとも２面が、それぞれ正面として選択できればよい。
【００２０】
さらに、対象とする包装用箱１の形状は、直方体状に限らず、商品を収容して陳列に供することができる形状であれば、どのような形状であっても差し支えない。例えば、図７（ａ）に示すような三角柱形状であっても、図７（ｂ）に示すような四角錐形状であっても差し支えない。上記三角柱形状の場合、３つの側面部２０〜２２のうち、少なくとも２面を、互いに異なる印象の正面部となりうるような構成にする。
【００２１】
さらに、図８に示すように、２つの湾曲面を前後から合わせたような形状の包装用箱であっても差し支えない。この場合は、前後の２面を、ともに正面として配置できるような構成にする。
【００２２】
【発明の効果】
以上のように、本発明の包装用箱には、正面として配置できる側面部が少なくとも２面設けられているため、その包装用箱を用いた包装体の陳列環境（販売方式、客層、店舗レイアウト等）に応じて、その条件に適した方の側面部を、正面として選択することができる。そして、この包装用箱に商品を収容してなる包装体の陳列方法によれば、包装体の陳列環境に適した陳列を、包装体の向きを変えるだけで、簡単に実現することができ、陳列作業の効率化を達成することができる。
【図面の簡単な説明】
【図１】（ａ）は本発明の一実施例を正面側から見た状態を示す説明図、（ｂ）はそれを背面側から見た状態を示す説明図である。
【図２】上記実施例の展開図である。
【図３】上記実施例を用いた陳列形態の一例を示す説明図である。
【図４】上記実施例を用いた陳列形態の他の例を示す説明図である。
【図５】上記実施例を用いた陳列形態のさらに他の例を示す説明図である。
【図６】上記実施例を用いた陳列形態のさらに他の例を示す説明図である。
【図７】（ａ），（ｂ）は、ともに本発明の他の実施例の斜視図である。
【図８】本発明のさらに他の実施例の斜視図である。
【符号の説明】
１  包装用箱
２  正面部
３  背面部
９，１２  商品名
【図１】
2004189261.tif 000003
【図２】
2004189261.tif 000004
【図３】
2004189261.tif 000005
【図４】
2004189261.tif 000006
【図５】
2004189261.tif 000007
【図６】
2004189261.tif 000008
【図７】
2004189261.tif 000009
【図８】
2004189261.tif 000010